(57)【要約】【課題】使用者が電源装置または電子機器が故障してしまったのか通信異常による出力停止なのかを判断できるようにする。【解決手段】電源装置（１００）は、電子機器に電力を供給する電源装置であって、電子機器と通信を行う通信手段と、報知手段とを有し、通信手段が電子機器が必要とする電力要求情報ならびに電子機器の仕様情報を受信後、電子機器に所定の電力の供給を開始し、通信手段が通信中ならびに電子機器に電力を供給中、報知手段により所定の報知方法で報知することを特徴とする。【選択図】図１
2020036491.tif 000002
【特許請求の範囲】
【請求項１】
電子機器に電力を供給する電源装置であって、
前記電子機器と通信を行う通信手段と、
報知手段と
を有し、
前記通信手段が前記電子機器が必要とする電力要求情報ならびに電子機器の仕様情報を受信後、前記電子機器に所定の電力の供給を開始し、前記通信手段が通信中ならびに前記電子機器に電力を供給中、前記報知手段により所定の報知方法で報知することを特徴とする電源装置。
【請求項２】
前記通信手段が前記電子機器より受信する前記電力要求情報は、前記電子機器が必要としている電圧値と電流値であることを特徴とする請求項１に記載の電源装置。
【請求項３】
前記電源装置は、出力電圧変更手段ならびに出力電流変更手段を有し、
前記通信手段が前記電子機器より受信した電圧値と電流値に応じて、前記出力電圧変更手段は所定の電圧に変更し、前記出力電流変更手段は所定の電流に変更し、変更された電圧と電流を出力することを特徴とする請求項２に記載の電源装置。
【請求項４】
前記通信手段が前記電子機器より受信する前記電子機器の仕様情報は、前記電子機器に備わる二次電池への充電動作を行うか否かの情報であり、前記通信手段が前記電子機器より受信する前記電力要求情報は、二次電池の充電に必要な電力であることを特徴とする請求項１乃至３のいずれか１項に記載の電源装置。
【請求項５】
前記報知手段による報知方法は、前記電源装置の出力電圧や出力電流、供給電力は充電電力に使用されるか否か、または、前記電源装置と前記電子機器が通信中か否か、また、前記電子機器が報知手段を有するか否かによって変更されることを特徴とする請求項１乃至４のいずれか１項に記載の電源装置。
【請求項６】
前記通信手段が前記電子機器により受信する前記電子機器の仕様情報は、前記電子機器に報知手段が備わるか否かの情報であり、前記電子機器に報知手段が備わる場合に、前記電源装置の報知手段は報知を行わないことを特徴とする請求項１乃至５のいずれか１項に記載の電源装置。
【請求項７】
前記報知手段はＬＥＤであり、前記報知方法は、ＬＥＤの点灯または不点灯、点滅回数、点灯の明るさにより表現されることを特徴とする請求項１乃至６のいずれか１項に記載の電源装置。
【請求項８】
前記通信手段が前記電子機器より受信する前記電力要求情報は、電力の供給を開始する開始時間であることを特徴とする請求項１乃至７のいずれか１項に記載の電源装置。
【発明の詳細な説明】
【技術分野】
【０００１】
本発明は、電子機器に電力を供給する電源装置に関する。
【背景技術】
【０００２】
従来の電源装置は固定の電圧を出力しているものだったが、近年、電子機器の必要な電力情報を受信し、その情報に応じて所定の電圧を出力する電源装置が知られている。たとえば、ＵＳＢ  ＰＤ規格では、電源装置と電子機器とで通信を行い、電子機器が必要な電力を電源装置に要求し、電源装置は可能であれば、要求電力を供給し、不可であれば、電力供給を中止することができる。ここで、電源装置と電子機器との間では電力要求だけでなく、ＵＳＢ  ＰＤ規格に則ったものであるかを確認する認証も行い、不適格の場合は電力を供給しない措置を取ることができる。
【発明の概要】
【発明が解決しようとする課題】
【０００３】
従来の電源装置にはＬＥＤなどの報知手段を有するものが存在するが、ＬＥＤは電源装置自体に入力がある場合や、出力電流が流れている場合に点灯するものであった。前者の場合は電源装置にケーブルが接続され、電源が入力された場合にＬＥＤが点灯することで入力系統に問題がないことを示すものであった。また、後者の場合は、電源内の出力回路を検知し、所定以上の電圧にて、所定以上の電流が流れている場合にＬＥＤが点灯することで、電力受信側は規定の電圧電流を入力しているものを示すものであった。この場合、前記のような要求電力の不適格または認証の不適格で電力供給が中止になった場合と、電源装置または電子機器の故障が原因で電力供給がなされない場合との区別がつかず、正常な電源装置でも使用者は電源装置または電子機器が故障してしまったと判断してしまう恐れがある。
【０００４】
そこで、本発明は、使用者が電源装置または電子機器が故障してしまったのか通信異常による出力停止なのかを判断できるようにすることを目的とする。
【課題を解決するための手段】
【０００５】
上記の目的を達成するために、本発明に係る電源装置は、
電子機器に電力を供給する電源装置であって、前記電子機器と通信を行う通信手段と、報知手段とを有し、前記通信手段が前記電子機器が必要とする電力要求情報ならびに電子機器の仕様情報を受信後、前記電子機器に所定の電力の供給を開始し、前記通信手段が通信中ならびに前記電子機器に電力を供給中、前記報知手段により所定の報知方法で報知することを特徴とする。
【発明の効果】
【０００６】
本発明に係る電源装置によれば、使用者が電源装置または電子機器が故障してしまったのか通信異常による出力停止なのかを判断することができる。
【図面の簡単な説明】
【０００７】
【図１】実施形態１における電源装置１００の構成例を示すブロック図である。
【図２】電源装置１００の動作例を説明するためのフローチャートである。
【図３】充電制御サブルーチンを説明するためのフローチャートである。
【図４】ＬＥＤ１１４で行われる報知方法の一例を示す図である。
【図５】ＬＥＤ１１４で行われる報知方法の一例を示す図である。
【発明を実施するための形態】
【０００８】
以下、図面を参照して本発明の実施形態を説明する。ただし、本発明は以下の実施形態に限定されるものではない。
【０００９】
［実施形態１］
図１を参照して、実施形態１における電源装置１００の構成例を説明する。
【００１０】
図１に示すように、電源装置１００は接続ケーブル２００を介して電子機器３００に電力を供給するものである。電源装置１００内の１０２は電源入力部であり、プラグイン形状のＡＣコンセントに直接ささる形状のものであっても良いし、インレット形状のＡＣケーブルが装着されるコネクタ形状のものであってもよい。１０４はＡＣ／ＤＣ変換回路であり、電源入力部１０２から入力されたＡＣ電圧をＤＣに変換し、整流する回路である。１０６はＤＣ／ＤＣ制御回路であり、ＡＣ／ＤＣ変換回路１０４から出力されたＤＣ電圧を所定の電圧に変換する回路である。１０８は電源出力部であり、ＤＣケーブルが装着されるソケットタイプのものであっても良いし、ＤＣケーブルが括り付けのものであっても構わない。１１０はシステム制御回路であり、ＡＣ／ＤＣ変換回路１０４の出力電圧を入力として起動し、ＤＣ／ＤＣ制御回路１０６、電源出力１０８、通信部１１２、ＬＥＤ１１４を制御するものである。電圧出力が異常時にはＡＣ／ＤＣ変換回路１０４を制御し、電圧出力を停止することも可能である。１１２は通信部であり、ケーブル２００の通信線２０４を介して電子機器３００と相互通信を行うことができる。１１４はＬＥＤであり、電源装置の状態に応じて、点灯、消灯、点滅を行うことで電源装置の状態を使用者に報知することが可能である。接続ケーブル２００内の２０２は電源線であり、＋線と−線を有し、所定の電圧、電流を流すことができる。２０４は通信線であり、例えばＵＳＢ  Ｄ＋／Ｄ−、１線通信など所定の通信線である。３００は電子機器であり、電源装置１００より電力供給を受け、電源装置１００と所定の方式で相互通信を行うことができる。
【００１１】
次に、図２〜図５を参照して、電源装置１００の動作例を説明する。
【００１２】
ステップＳ２０１にて、電源装置１００の電源入力部１０２にＡＣ電源が入力されると、ＡＣ／ＤＣ変換回路１０４にてＡＣ／ＤＣ変換が行われシステム制御回路１１０に所定の電圧が入力され、システム制御回路１１０は起動状態となる。
【００１３】
ステップＳ２０２にて、ＡＣ／ＤＣ変換回路１０４からの出力電圧を所定の電圧に変換するようシステム制御回路１１０はＤＣ／ＤＣ制御回路１０６に指示を出し、また電源出力部１０８より電圧を外部に出力するよう制御する。今実施形態では、所定の電圧は５．０Ｖとするが、特にどの電圧でも構わない。
【００１４】
ステップＳ２０３にてシステム制御回路１１０は通信部１１２に接続しているかどうかを確認し、電子機器３００より接続信号を受信すると、ステップＳ２０４にて電源装置１００と電子機器３００の間で認証動作を行う。認証動作についての詳細は割愛するが、電源装置１００からの所定のコマンドを送信し、電子機器３００はそのコマンドを受信し、所定のコマンドを返信し、電源装置１００がそのコマンドが的確なものであれば良いものとする。
【００１５】
ステップＳ２０４にて認証が確認されると、ステップＳ２０５にてシステム制御回路１１０はＬＥＤ１１４を所定の点滅パターンで点滅を行うよう制御し、使用者に電源装置１００と電子機器３００間で認証されたと報知する。
【００１６】
ステップＳ２０６にて、システム制御回路１１０は通信部１１２を通じて、電子機器３００が必要な電圧電流についての電圧電流確認コマンドを送信し、電子機器３００は電圧電流確認コマンドを受信すると、必要な電圧電流について電源装置１００に電圧電流応答コマンドを返信する。
【００１７】
通信部１１２が電圧電流返信コマンドを受信すると、システム制御１１０内に記録されている出力可能な電圧電流と比較し、出力可能と判断されれば、ステップＳ２０７にて、システム制御回路１１０は受信した電圧に変更するようＤＣ／ＤＣ制御回路１０６を制御する。ここで、実施形態１では、変更後の電圧を９．０Ｖとするが、特にどの電圧でも構わない。
【００１８】
ステップＳ２０８にて、システム制御回路１１０は電源出力部１０８から９．０Ｖの電圧が電子機器３００に出力するよう制御する。
【００１９】
ステップＳ２０９にて、電源装置１００から所定のコマンドを送信し、電子機器３００は電子機器３００内に図示しない二次電池を充電するかどうか確認する。電子機器３００にて充電動作を行う場合、電子機器３００は電源装置１００に充電することを返信し、電源装置１００は充電動作であることを受信すれば、ステップＳ２１１にて、電源装置１００から所定のコマンドを送信し、電子機器３００は電子機器３００内にＬＥＤなどの報知手段を有するかどうか確認する。電子機器３００に報知手段がない場合は、ステップＳ２１２の充電制御サブルーチンに移行する。
【００２０】
また、ステップＳ２０９にて充電動作でない場合は、ステップＳ２１０にてシステム制御回路Ｓ１１０はＬＥＤ１１４を所定の点滅パターンで点滅を行うよう制御する。
【００２１】
ステップＳ２０４にて電源装置１００と電子機器３００間で認証不可となった場合、ステップＳ２１３にて、システム制御回路１１０はＬＥＤ１１４を所定の点滅パターンで点滅を行うように制御する。また、ステップＳ２０６にて、電源装置１００は電子機器３００が必要な電圧電流を出力できない場合、ステップＳ２１４にて、システム制御回路１１０はＬＥＤ１１４を所定の点滅パターンで点滅を行うよう制御する。ステップＳ２１３とステップＳ２１４の後、ステップＳ２１５にて所定の時間が経過後、ステップＳ２１６にて、システム制御回路１１０はＬＥＤ１１４を消灯するように制御する。
【００２２】
ここで、ステップＳ２０５、Ｓ２１０、Ｓ２１３およびＳ２１４のＬＥＤの点滅は、いずれの方法でも問題ないが、例えば、図４（ａ）〜（ｄ）のようにしても構わない。図４（ａ）のようにＬＥＤの点灯をＨ期間点灯、Ｌ期間消灯とする。ステップＳ２１０において、電子機器に安定的に電源供給を行っている際は、ＬＥＤ１１４を図４（ｂ）常時点灯することで使用者に安定的に電源を供給していることを明示することができる。また、ステップＳ２１３やＳ２１４は認証不可、電力出力不可であり、いわば異常状態であるため、図４（ｃ）のように点灯・消灯を早い周期で繰り返すことで使用者に警告を与えることできる。また、ステップＳ２０５において、電源装置１００と電子機器３００は必要な電圧電流を相互に通信する状態であり、上記の図４（ｂ）および（ｃ）とは異なる、例えば図４（ｄ）のようにＬＥＤ１１４が段々明るくなり、段々暗くなるような点灯方法でも構わない。
【００２３】
次に、図３を参照して、ステップＳ２１２で行われる充電制御サブルーチンを説明する。
【００２４】
電子機器３００は図示しない二次電池を充電する場合、ステップＳ３０１にて電源装置１００のシステム制御回路１１０は通信部１１２を通じて、電子機器３００の二次電池の充電量についての充電量確認コマンドを送信し、電子機器３００は電圧電流確認コマンドを受信すると、二次電池の充電量について電源装置１００に充電量応答コマンドを返信する。
【００２５】
ステップＳ３０２にて、システム制御回路１１０は電子機器３００が充電中であれば充電量を確認する。
【００２６】
ステップＳ３０３にて、システム制御回路１１０は充電量に応じたＬＥＤ１１４の点滅制御を行い、充電完了であれば、ステップＳ３０４にてＬＥＤ１１４を消灯制御を行う。ここで、ステップＳ３０３のＬＥＤの点滅は、いずれの方法でも問題ないが、例えば、図５（ａ）〜図５（ｃ）のようにしても構わない。即ち、充電量に応じて、点滅回数を変更する。例えば充電量が５０％以下の場合は、図５（ａ）のように点滅回数を１回、充電量が５１％以上８０％以下の場合は、図５（ｂ）のように点滅回数を２回、充電量が８１％以上１００％未満の場合は図５（ｃ）のように点滅回数を３回とする点滅方法である。充電量の範囲については一例であるものとし、特にどこで区切っても問題なく、点滅パターンまたは点滅回数を増やしても問題ない。
【００２７】
また、ステップＳ３０４にてＬＥＤ１１４は消灯としたが、点灯としても問題ない。また、図示しないが、ＬＥＤ１１４は二色のＬＥＤを有し、充電完了の場合のみ、もうひとつの色のＬＥＤを点灯させても問題ない。
【００２８】
なお、本発明の実施形態は上述の実施形態１に限定されるものではない。発明の要旨を逸脱しない範囲で変更または修正された実施形態１も本発明の実施形態に含まれる。
【符号の説明】
【００２９】
１００  電源装置、２００  接続ケーブル、３００  電子機器
【図１】
2020036491.tif 000003
【図２】
2020036491.tif 000004
【図３】
2020036491.tif 000005
【図４】
2020036491.tif 000006
【図５】
2020036491.tif 000007